(57)【要約】  【課題】ユーザにとって開口部が分かりやすく、かつ開けやすいという機能を備えた、ＣＤ等の記録媒体ディスクのための収納ケースを提供する。  【解決手段】ケース１のヒンジ部１０側とは反対側の隅部に、ケース本体２および開閉蓋３にそれぞれ係合部２１，３１を形成する。これら係合部２１，３１は、弾性的相互係合により開閉蓋３をケース本体２対し閉状態に係止し、ユーザの拇指と食指とによるひねり操作により弾性的相互係合状態から解放されて開閉蓋３を開状態にするものである。【選択図】        図４
2006036223.tif 000002
【特許請求の範囲】
【請求項１】
ケースの一方の主面を形成するケース本体と、該ケース本体の一側縁をヒンジ部として該ケース本体に開閉可能に連接されて前記ケースの他方の主面を形成する開閉蓋とを備えた扁平なディスク収納ケースにおいて、
該ケースの前記ヒンジ部側とは反対側の部位において、前記ケース本体および前記開閉蓋にそれぞれ係合部が形成され、該一対の係合部が、それらの弾性的相互係合により前記開閉蓋を前記ケース本体に対し閉状態に係止し、かつユーザの拇指と食指等とによるひねり操作により前記弾性的相互係合状態から解放されて前記開閉蓋を開状態にするものであることを特徴とするディスク収納ケース。
【請求項２】
前記一対の係合部が、前記主面にほぼ平行な面内に並んで設けられていることを特徴とする請求項１記載のディスク収納ケース。
【請求項３】
前記係合部が、前記ヒンジ部側とは反対側のほぼ三角形の隅部に形成されていることを特徴とする請求項２記載のディスク収納ケース。
【請求項４】
前記隅部の前記係合部の内側に、陳列用フックを係入させる孔が形成されていることを特徴とする請求項３記載のディスク収納ケース。
【請求項５】
前記係合部が、前記ヒンジ部の対辺に形成されていることを特徴とする請求項１記載のディスク収納ケース。
【発明の詳細な説明】
【技術分野】
【０００１】
本発明はディスク収納ケースに関し、特に、ＣＤ、ＤＶＤ等の記録媒体ディスクを収納するケースに関するものである。
【背景技術】
【０００２】
従来、一般に使用されているＣＤ収納ケース(以下「標準ケース」と呼ぶ)は、ディスクを収納する片面全体が開放面とされたケース本体と、このケース本体の開放面を開閉すべくケース本体にヒンジ結合された開閉蓋とによって構成されている。
【０００３】
しかしながら、この標準ケースは、ユーザにとって開け口が分かりにくく、しかも開けにくいという難点があった。さらに標準ケースは、フックを利用した商品展示に適していないという問題もあった。
【発明の開示】
【発明が解決しようとする課題】
【０００４】
上述の事情に鑑み、本発明の第１の目的は、ユーザにとって開け口が分かりやすく、かつ開けやすいという機能を備えたディスク収納ケースを提供することにある。本発明の第２の目的は、上記機能に加えて、吊下げ展示も可能であるという機能とを兼ね備えたディスク収納ケースを提供することにある。
【課題を解決するための手段】
【０００５】
本発明は、ケースの一方の主面を形成するケース本体と、このケース本体の一側縁をヒンジ部として該ケース本体に開閉可能に連接されて前記ケースの他方の主面を形成する開閉蓋とを備えた扁平なディスク収納ケースにおいて、
このケースのヒンジ部側とは反対側の部位において、ケース本体および開閉蓋にそれぞれ係合部が形成され、これら一対の係合部が、それらの弾性的相互係合により上記開閉蓋を上記ケース本体に対し閉状態に係止し、かつユーザの拇指と食指等とによるひねり操作により上記弾性的相互係合状態から解放されて上記開閉蓋を開状態にするものであることを特徴とするものである。
【０００６】
本発明の一つの態様によれば、上記係合部が上記主面にほぼ平行な面内に並んで設けられる。上記主面にほぼ平行な面とは、例えばケースが閉状態にあるときの、ケース本体が形成する一方の主面と、この主面にほぼ平行な、開閉蓋が形成する主面とのほぼ中間に設定した、これら主面に平行な平面である。
【０００７】
また、上記「拇指と食指等とによるひねり操作」とは、一般的な「拇指と食指とによるひねり操作」に加えて、その他の同様の操作、例えば「拇指と中指とによるひねり操作」も含むことを意味する。
【０００８】
上記係合部は、上記ヒンジ部側とは反対側のほぼ三角形の隅部に形成されていることが好ましい。そして、上記隅部の上記係合部の内側に、陳列展示用フックを係入させる孔が形成されていることが好ましい。
【０００９】
また、上記係合部は、ヒンジ部側とは反対側の縁部に形成されていてもよい。
【発明の効果】
【００１０】
本発明によるディスク収納ケースは、弾性的相互係合により上記開閉蓋を上記ケース本体に対し閉状態に係止し、かつユーザの拇指と食指とによるひねり操作により上記弾性的相互係合状態から解放されて上記開閉蓋を開状態にする一対の係合部をケースのヒンジ部側とは反対側の部位に備えていることにより、ユーザにとって開け口が分かりやすく、かつ片手の指だけで簡単に開けることができるという効果がある。
【００１１】
また、上記係合部が、標準ケースにおいてはデッドスペースとなる、ヒンジ部側とは反対側のほぼ三角形の隅部に形成されている場合には、係合部がケースの輪郭から突出しておらず、ケースをコンパクトに構成することができる。したがってパック品展開において輸送性、積載性共に問題を生じるおそれもない。
【００１２】
さらに、上記隅部の上記係合部の内側に、陳列用フックを係入させる孔が形成されていることにより、吊下げ販売の多い海外店舗や、コンビニエンスストア、スーパーマーケットのレジ横への売り場の拡大に向けたフック利用の商品展示が可能になる。
【発明を実施するための最良の形態】
【００１３】
図１〜図４は、本発明によるディスク収納ケースの第１の実施の形態を示し、図１はその閉状態の平面図、図２は図１のディスク収納ケースを開状態で示す平面図、図３（a）は係合部同士が弾性的に係合した状態を示す図１の３−３線に沿った拡大断面図、図３（ｂ）は係合部同士が弾性的係合状態から解放された状態を示す拡大断面図、図４は開け口が開きかけた状態を示す斜視図である。
【００１４】
このディスク収納ケース１は、閉状態を示す図１から明らかなように、直線的な第１辺１１と、この第１辺１１の両端からそれぞれほぼ直角に直線的に延びる、第１辺１１よりも短い第２辺１２および第３辺１３と、第２および第３辺１２，１３の先端間を結ぶ円弧状の第４辺１４からなるＤ字状の平面形状を有し、図２から明らかなように、一方の主面Ｐ２（図３参照）を形成するケース本体２に対して、他方の主面Ｐ３（図３参照）を形成する開閉蓋３が、第２辺１２に沿って形成されたヒンジ部１０を介して開閉可能に連接されている。
【００１５】
ケース本体２の内面中心部には、ＣＤ、ＤＶＤ等の記録媒体ディスク４の中心孔４aに嵌合してディスク４を着脱自在に支持する円形の支持突起２０が設けられている。
【００１６】
ディスク収納ケース１のヒンジ部１０を形成する第２辺１２側とは反対側の隅部、すなわち第１辺１１と第３辺１３とによって形成される直角三角形状の隅部の角には、ケース本体２に対する開閉蓋３の開け口５が形成されている。
【００１７】
この開け口５は、図２から明らかなように、ケース本体２からこれと一体に第１辺１１に沿って隅部の角まで延びる係合部２１と、開閉蓋３からこれと一体に第３辺１３に沿って隅部の角まで延びる係合部３１とによって構成されている。
【００１８】
係合部２１，３１はそれらの根元部２１ａ，３１ａが幅狭に形成されて弾性が付与されており、かつ図１から明らかなように、係合部２１，３１の内側に、係合部２１，３１の内側縁部２１ｂ，３１ｂを周縁の一部とする孔６が形成されている。
【００１９】
図１の３−３線に沿った拡大断面図である図３（ａ）を参照すると、ケース本体２が形成するケース１の一方の主面Ｐ２と、開閉蓋２が形成するケース１の他方の主面Ｐ３とのほぼ中間においてこれらとほぼ平行に平面Ｐ１を設定した場合に、ケース本体２の係合部２１の先端が平面Ｐ１から主面Ｐ３側に膨出し（但し、主面Ｐ３のレベルからは突出しない）、かつ開閉蓋３の係合部３１の先端が平面Ｐ１から主面Ｐ２側に膨出する（但し、主面Ｐ２のレベルからは突出しない）態様で、平面Ｐ１内に並んでいる。
【００２０】
両係合部２１，３１は、上記平面Ｐ１上の点Ｏ上若しくはその近傍において互いに弾性的に係合する係合面２１ｃ，３１ｃを先端に備えているとともに、平面Ｐ１上の点Ｏ上若しくはその近傍を通る両係合面２１ｃ，３１ｃの接線Ｌが、両係合部２１，３１のそれぞれの側に向かう方向に斜めに傾斜していることにより、開閉蓋３がケース本体２に対し閉状態に係止されている。
【００２１】
このような係止構造は、がま口、ハンドバッグ等の口金の係止構造に見られるものであり、ユーザが拇指の先端部を図３（a）に矢Ａに示すように係合部２１の先端部の下側に当て、食指（または中指）の先端部を矢Ｂに示すように係合部３１の先端部の上側に当てて、指先を点Ｏの回りで時計方向にひねることにより、両係合面２１ｃ，３１ｃが相互に摺動して、図３（ｂ）に示すように両係合部２１，３１は弾性的係合状態から解放され、図４に示すように開閉蓋３を開くことができる。そして、開閉蓋３を閉じるときには、図３（ｂ）に示す解放状態の係合部２１，３１もしくは係合部２１，３１近傍の主面Ｐ２，ｐ３を互いに接近させる方向に押圧することにより、両係合部２１，３１が弾性的に撓んで、図３（ａ）に示す係合状態になる。
【００２２】
係合部２１，３１の内側に形成されている孔６は、ディスク４を収納した本実施の形態のディスク収納ケース１を吊下げ式に陳列展示する場合のフックの係入孔としての機能を有する。図５はそれぞれディスク４を収納した３個のディスク収納ケース１Ａ，１Ｂ，１Ｃが、それぞれの孔６を利用してフック７に吊り下げられた状態で並んで陳列されている状態を示す。
【００２３】
次の図６（ａ）〜（ｄ）は、本実施の形態のディスク収納ケース１を、５ピース、１０ピース、２０ピース、・・・とパック品展開した状態を示す。
【００２４】
以上の説明で明らかなように、本実施の形態によるディスク収納ケース１は、弾性的相互係合により開閉蓋３をケース本体２に対し閉状態に係止し、かつユーザの拇指と食指等とによるひねり操作により上記弾性的相互係合状態から解放されて開閉蓋３を開状態にする一対の係合部２１，３１をケース１のヒンジ部１０側とは反対側の孔６の開いた隅部に備えていることにより、ユーザにとって開け口５が分かりやすく、かつ開けやすいという効果がある。
【００２５】
また、係合部２１，３１の内側に、陳列用フック７を係入させる孔６が形成されていることにより、図５に示すように、フック７を利用した陳列展示が可能になる。
【００２６】
さらに、上記係合部２１，３１が、デッドスペースとなるほぼ三角形の隅部に形成されていることにより、ケース１をコンパクトに構成することができる。
【００２７】
さらに、係合部２１，３１が、図３（ａ）に示すように反対側の主面Ｐ３，Ｐ２のレベルからも突出していないことにより、図６に示すようなパック品展開において輸送性、積載性共に問題を生じるおそれもない。
【００２８】
図７〜図１０は、本発明によるディスク収納ケースの第２の実施の形態を示し、図７はその閉状態の平面図、図８はその開け口の拡大斜視図、図９は開け口が開きかけた状態を示す斜視図、図１０は図７の１０−１０線に沿った拡大断面図である。
【００２９】
このディスク収納ケース１′は、ほぼ正方形の平面形状を有するケース本体２および開閉蓋３がヒンジ部１０を介して開閉可能に連接されており、上述した第１の実施の形態と同様に、ヒンジ部１０側とは反対側の隅部に開け口５′を備えている。それぞれ主面Ｐ２，Ｐ３を形成するケース本体２および開閉蓋３は、ケース１′の閉状態で互いに反対側の主面とほぼ面一（つらいち）となる係合部２２，３２を開け口５′に関して各片側に備え、これに対応して、ケース本体２および開閉蓋３には、相手側の係合部３２，２２をそれぞれ係入させるＶ字状の切欠き２３，３３が形成されている。
【００３０】
そして、図３（ａ）に対応する図１０から明らかなように、両主面Ｐ２，Ｐ３のほぼ中間においてこれらとほぼ平行に平面Ｐ１を設定した場合に、両係合部２２，３２が平面Ｐ１内に並んでおり、かつ平面Ｐ１上の点Ｏ上若しくはその近傍において互いに弾性的に係合する係合面を先端に備えているとともに、平面Ｐ１上の点Ｏ上若しくはその近傍を通る両係合面の接線Ｌが、両係合部２２，３２のそれぞれの側に向かう方向に斜めに傾斜していることにより、開閉蓋３がケース本体２に対し閉状態に係止されている。
【００３１】
この場合も、開け口５′を拇指と食指等との指先を点Ｏの回りで時計方向にひねることにより、両係合部２２，３２が弾性的係合状態から解放されて、図９に示すように開閉蓋３を容易に開くことができる。
【００３２】
そして、図７からも明らかなように、開閉蓋３側に面するケース本体２の係合部２２に、そこが開け口５′であることを示す例えば「ｐｕｓｈ」の文字を表示しておくことにより、開閉位置の識別が容易となる。
【００３３】
次の図１１〜図１６は、本発明によるディスク収納ケースの第３の実施の形態を示し、図１１はその閉状態の平面図、図１２は開け口が開きかけた状態を示す斜視図、図１３（ａ），（ｂ）はそれぞれ閉状態および開きかけた状態における開け口の拡大斜視図、図１４は図１１の右方から見た開け口の開きかけた状態を示す拡大側面図、図１５および図１６は、それぞれ図１４の１５−１５線および１６−１６線に沿った部分的断面図である。
【００３４】
このディスク収納ケース１″は、開け口５″がヒンジ部１０の対辺の略中央に設けられており、ケース本体２および開閉蓋３は、ケース１″の閉状態で互いに反対側の主面とほぼ面一（つらいち）となる突縁２８，３８を上記対辺に沿って開け口５″の各片側に備えており、これに対応して、ケース本体２および開閉蓋３には、相手側の突縁３８，２８をそれぞれ係入させる細長い切欠き２４，３４が上記対辺に沿って形成されている。
【００３５】
そして、図１３（ｂ）および図１４〜図１６から特に明らかなように、各切欠き２４，３４の開け口５″の近傍の端面上にはそれぞれ係合突起２５，３５が突設され、これに対応して、各突縁２８，３８の内側には、相手側の係合突起３５，２５をそれぞれ係入させる係合凹部２６，３６が形成されている。
【００３６】
すなわち、このディスク収納ケース１″においては、ケース本体２側の係合突起２５および係合凹部２６と、開閉蓋３側の係合突起３５および係合凹部３６とによって、互いに弾性的に係合する一対の係合部が構成されている。そして、本実施の形態の場合も、閉状態にあるディスク収納ケース１″を開けるときには、開け口５″の近傍の突縁２８，３８に拇指と食指等との指先を当てて時計方向にひねることにより、両係合部が弾性的係合状態から解放されて、図１２に示すように開閉蓋３を容易に開くことができる。
【００３７】
本実施の形態の場合も、開閉蓋３側に面するケース本体２の突縁２８に、そこが開け口５″であることを示す例えば「ｐｕｓｈ」の文字を表示しておくことにより、ケースを開ける際の指を当てる位置が識別できるようになる。
【００３８】
本発明によるディスク収納ケースに、ＣＤ−ＲＯＭ，ＤＶＤ−ＲＯＭ等の光ディスク、ＣＤ−Ｒ，ＣＤ−ＲＷ，ＤＶＤ−Ｒ，ＤＶＤ−ＲＷ等の光記録媒体等のディスク媒体を格納して販売する場合には、収納されたディスクが容易に抜き取られないように開け口の部分に封緘用シールを貼り付けておくことが好ましい。このような封緘用シールとしては、例えば特開２００２−３４７８７５号公報に記載されているものを適用することができる。
【図面の簡単な説明】
【００３９】
【図１】本発明によるディスク収納ケースの第１の実施の形態を閉状態で示す平面図である。
【図２】図１のディスク収納ケースを開状態で示す平面図である。
【図３】図３（a）は、係合部同士が弾性的に係合した状態の係止部を示す図１の３−３線に沿った拡大断面図、図３（ｂ）は、係合部同士が弾性的係合状態から解放された状態を示す拡大断面図である。
【図４】図１のディスク収納ケースにおいて開閉蓋が開きかけた状態を示す斜視図である。
【図５】図１のディスク収納ケースの複数がフックに吊り下げられた状態で並んで陳列されている状態を示す正面図である。
【図６】図６（ａ）〜（ｄ）は図１のディスク収納ケースの複数がパック品とされた状態を示す概略的斜視図である。
【図７】本発明によるディスク収納ケースの第２の実施の形態を閉状態で示す平面図である。
【図８】図７のディスク収納ケースにおける開け口の拡大斜視図である。
【図９】図７のディスク収納ケースにおいて開閉蓋が開きかけた状態を示す斜視図である。
【図１０】図７の１０−１０線に沿った拡大断面図である。
【図１１】本発明によるディスク収納ケースの第３の実施の形態を閉状態で示す平面図である。
【図１２】図１１のディスク収納ケースにおいて開閉蓋が開きかけた状態を示す斜視図である。
【図１３】図１３（ａ），（ｂ）は、図１１のディスク収納ケースの開け口をそれぞれ閉状態および開きかけた状態で示す拡大斜視図である。
【図１４】図１１のディスク収納ケースの開け口が開きかけた状態を示す拡大側面図である。
【図１５】図１４の１５−１５線に沿った断面図である。
【図１６】図１４の１６−１６線に沿った断面図である。
【符号の説明】
【００４０】
１，１′，１″    ディスク収納ケース
２    ケース本体
３    開閉蓋
４    記録媒体ディスク
５，５′，５″    開け口
６    孔
７    フック
１０    ヒンジ部
２１，２２，３１，３２    係合部
２５，３５    係合突起
２６，３６    係合凹部
【図１】
2006036223.tif 000003
【図２】
2006036223.tif 000004
【図３】
2006036223.tif 000005
【図４】
2006036223.tif 000006
【図５】
2006036223.tif 000007
【図６】
2006036223.tif 000008
【図７】
2006036223.tif 000009
【図８】
2006036223.tif 000010
【図９】
2006036223.tif 000011
【図１０】
2006036223.tif 000012
【図１１】
2006036223.tif 000013
【図１２】
2006036223.tif 000014
【図１３】
2006036223.tif 000015
【図１４】
2006036223.tif 000016
【図１５】
2006036223.tif 000017
【図１６】
2006036223.tif 000018